(57)【要約】【課題】録画された映像コンテンツを早送り再生する際に、映像コンテンツを一定の時間間隔でスキップ再生すると表示がぶれ、見にくくなることが課題となっていた。また、早送り再生を行うと映像コンテンツの内容が充分に伝わらないことが課題となっていた。【解決手段】実施形態の映像出力装置は、映像コンテンツの映像表示部への再生出力に係るフレーム毎に、早送り再生を行う際に再生を行うか否かの情報が関連付けられた映像データを受信する映像データ受信手段を備える。また、前記映像コンテンツの早送り再生指示を受信する早送り再生指示受信手段を備える。また、前記早送り再生指示を受信した場合に、前記早送り再生を行う際に再生を行う情報が関連付けられたフレームを抽出し、出力する早送り再生映像出力手段を備える。【選択図】  図３
2012049736.tif 000002
【特許請求の範囲】
【請求項１】
映像コンテンツの映像表示部への再生出力に係るフレーム毎に、早送り再生を行う際に再生を行うか否かの情報が関連付けられた映像データを受信する映像データ受信手段と、
前記映像コンテンツの早送り再生指示を受信する早送り再生指示受信手段と、
前記早送り再生指示を受信した場合に、前記早送り再生を行う際に再生を行う情報が関連付けられたフレームを抽出し、出力する早送り再生映像出力手段を備える映像出力装置。
【請求項２】
前記早送り再生を行う際に再生を行う情報が関連付けられたフレームを抽出し、前記映像表示装置に出力することにより、前記映像コンテンツの早送り再生が実行される請求項１に記載の映像出力装置。
【請求項３】
前記映像コンテンツの早送り再生を行うフレームの抽出は、前記フレーム毎に関連付けられた早送り再生を行う際に再生を行うか否かの情報に基づいて行われる請求項１に記載の映像出力装置。
【請求項４】
前記映像データの一部のフレームは、前記早送り再生を行う際に再生を行う情報に、そのフレームの次に再生を行うフレームに係る情報を含む請求項１に記載の映像出力装置。
【請求項５】
前記フレーム毎に関連付けられた早送り再生を行う際に再生を行うか否かの情報が変更可能に構成されるフレーム再生情報変更手段をさらに備え、前記フレーム毎に関連付けられた早送り再生を行う際に再生を行うか否かの情報は変更可能に構成される請求項１に記載の映像出力装置。
【請求項６】
前記早送り再生を行う際に再生を行うか否かの情報は、前記映像コンテンツに係る全てのフレームに関連付けられる請求項１に記載の映像出力装置。
【請求項７】
前記早送り再生を行う際に再生を行うか否かの情報が関連付けられた映像データをサーチするサーチ手段をさらに備え、一定時間分サーチしても見つからなかった場合は、一定の時間間隔毎に映像フレームを表示する早送り再生を行う請求項１に記載の映像出力装置。
【請求項８】
映像コンテンツを表示可能な映像表示部と、
映像コンテンツの前記映像表示部への再生出力に係るフレーム毎に、早送り再生を行う際に再生を行うか否かの情報が関連付けられた映像データを受信する映像データ受信手段と、
前記映像コンテンツの早送り再生指示を受信する早送り再生指示受信手段と、
前記早送り再生指示を受信した場合に、前記早送り再生を行う際に再生を行う情報が関連付けられたフレームを抽出し、出力する早送り再生映像出力手段を備える映像表示装置。
【請求項９】
前記早送り再生を行う際に再生を行う情報が関連付けられたフレームを抽出し、前記映像表示装置に出力することにより、前記映像コンテンツの早送り再生が実行される請求項８に記載の映像表示装置。
【請求項１０】
前記映像コンテンツの早送り再生を行うフレームの抽出は、前記フレーム毎に関連付けられた早送り再生を行う際に再生を行うか否かの情報に基づいて行われる請求項８に記載の映像表示装置。
【請求項１１】
前記映像データの一部のフレームは、前記早送り再生を行う際に再生を行う情報に、そのフレームの次に再生を行うフレームに係る情報を含む請求項８に記載の映像表示装置。
【請求項１２】
映像コンテンツの映像表示部への再生出力に係るフレーム毎に、早送り再生を行う際に再生を行うか否かの情報が関連付けられた映像データを受信するステップと、
前記映像コンテンツの早送り再生指示を受信するステップと、
前記早送り再生指示を受信した場合に、前記早送り再生を行う際に再生を行う情報が関連付けられたフレームを抽出し、出力するステップを備える映像表示方法。
【発明の詳細な説明】
【技術分野】
【０００１】
本発明の実施形態は、記録装置に記録された映像コンテンツを早送り再生出力することが可能な映像出力装置に関する。
【背景技術】
【０００２】
現在、ユーザが放送受信装置等を用いて受信した所望の放送番組をＤＶＤ装置やＨＤＤ装置等の記録装置に録画（記録）し、この録画された放送番組（すなわち映像コンテンツ）を再生して、視聴することが行われている。
【０００３】
また、記録装置に記録された映像コンテンツを再生する際に、この映像コンテンツを早送りで再生（早送り再生）することが行われている。
そして、ユーザはこの映像コンテンツの番組本編やコマーシャルの一部または全部を早送り再生して視聴することがある。
通常、ユーザは、番組本編やコマーシャルを早送りするときに、ＴＶ等の映像表示装置に表示される映像を見ながら早送り再生を行う。
そして、特にＤＶＤ装置やＨＤＤ装置等の記録装置においては、早送り再生は、映像コンテンツを一定の時間間隔でスキップして再生するスキップ再生が行われ、いわゆる「コマ送り」で早送り再生が行われる。
【０００４】
しかし、映像コンテンツを一定の時間間隔でスキップ再生する早送り再生は、表示がぶれたりして、見にくいといった問題があった。
特に、コマーシャルは番組本編ではないため早送り再生が実行されやすい。このため、特に映像コンテンツの送信側から、早送り再生においてもその内容を充分に伝えたいという要求があった。
【先行技術文献】
【特許文献】
【０００５】
【特許文献１】特開２００７−３００３７１号公報
【発明の概要】
【発明が解決しようとする課題】
【０００６】
録画された映像コンテンツを早送り再生する際に、映像コンテンツを一定の時間間隔でスキップ再生すると表示がぶれ、見にくくなることが課題となっていた。また、早送り再生を行うと映像コンテンツの内容が充分に伝わらないことが課題となっていた。
【課題を解決するための手段】
【０００７】
実施形態の映像出力装置は、映像コンテンツの映像表示部への再生出力に係るフレーム毎に、早送り再生を行う際に再生を行うか否かの情報が関連付けられた映像データを受信する映像データ受信手段を備える。
【０００８】
また、前記映像コンテンツの早送り再生指示を受信する早送り再生指示受信手段を備える。
また、前記早送り再生指示を受信した場合に、前記早送り再生を行う際に再生を行う情報が関連付けられたフレームを抽出し、出力する早送り再生映像出力手段を備える。
【図面の簡単な説明】
【０００９】
【図１】実施形態に係わる映像出力装置の使用形態の一例を示す図。
【図２】実施形態に係わる映像出力装置の構成を示すブロック図。
【図３】実施形態に係わる映像出力装置の要部を示すブロック図。
【図４】実施形態に係わる映像出力装置が受信する映像データの構成の一例を示す図。
【図５】実施形態に係わる映像出力装置の動作を説明するフローチャート。
【図６】実施形態に係わる映像出力装置が受信する映像データの構成の他の例を示す図。
【図７】実施形態に係わる映像出力装置において、早送り再生を行う際に再生を行うか否かの情報をユーザが変更する変更画面の一例を示す図。
【図８】映像コンテンツを一定の時間間隔でスキップして早送り再生を行う場合の表示例を説明する図。
【図９】実施形態に係わる映像出力装置を用いた表示の一例を示す図。
【発明を実施するための形態】
【００１０】
以下、図面を参照し、実施の形態を説明する。
図１は、実施形態に係わる映像出力装置の使用形態の一例を示す図である。
符号１は映像出力装置（デジタル放送受信装置）、符号２１は操作機器（リモコン）である。
この実施の形態においては、映像出力装置（デジタル放送受信装置）１において録画された映像コンテンツの再生中に、ユーザがリモコン（リモートコントローラ）２１を操作し、映像出力装置（デジタル放送受信装置）１に対して早送り再生を指示する。
【００１１】
図８は、映像コンテンツを一定の時間間隔でスキップして早送り再生を行う場合の表示例を説明する図である。
上記のように、録画された映像コンテンツを早送り再生する際に、映像コンテンツを一定の時間間隔でスキップして早送りを行うと、表示がぶれて見にくくなり、また、映像コンテンツの内容も理解しにくくなる傾向がある。以下、その課題を説明する。
【００１２】
ここでは、映像コンテンツの一例としてコマーシャルを用い、早送り再生が行われるようすを説明する。
この例では、コマーシャルに係る映像コンテンツを０．５秒間隔でスキップして早送り再生が行われる。ここでは、ノートＰＣのコマーシャルに続いてドリンクのコマーシャルの早送り再生が行われる。
【００１３】
そして、映像コンテンツが一定（０．５秒）の時間間隔で、図８（ａ）、図８（ｂ）、図８（ｃ）、図８（ｄ）、図８（ｅ）というように順にスキップされ、コマーシャルが早送りで再生される。
【００１４】
図に示すように、例えば、図８（ａ）は、「新発売」、「ノート」、「ＰＣ」という文字の表示がぶれて表示される。
また、図８（ｂ）と図８（ｃ）は、図８（ｂ）から図８（ｃ）にかけてスクロール表示を行う画像である。これらは「○○搭載！！」、「××付属！！」という文字とノートＰＣの画像が１つの画面に収まった状態の表示が望ましい。
【００１５】
しかし、図８（ｂ）においては「○○搭載！！」、「××付属！！」という文字が切れてしまっている。また、図８（ｃ）はノートＰＣ本体の画像が切れてしまっている。
【００１６】
また、図８（ｄ）は、ノートＰＣのコマーシャルからドリンクのコマーシャルに切り替わるタイミングの表示画像である。これらは、ノートＰＣのコマーシャルの表示画面にはこのノートＰＣに関係する表示だけが表示されることが望ましい。また、ドリンクのコマーシャルの表示画面にはこのドリンクに関係する表示だけが表示されることが望ましい。
【００１７】
しかし、図８（ｄ）においてはノートＰＣに関係する文字表示である「Ｔ会社」、「Innovation」とドリンクに関係する文字表示である「新発売」、「ドリンク」が重なって表示されてしまっている。
【００１８】
図８（ｅ）は、上記図８（ａ）と同様に、「新発売」、「ドリンク」という文字の表示がぶれて表示される。
図９は、実施形態に係わる映像出力装置を用いた表示の一例を示す図である。
この実施の形態においては、早送り再生によって表示される映像コンテンツの映像フレームは、図４または図６に示すように、再生出力に係るフレーム毎に、早送り再生を行う際に再生を行うか否かの情報が関連付けられることによって、予め指定されている。
【００１９】
そして、予め指定された、これらの映像フレームが、早送り再生によって表示される。
すなわち、図９（ａ）の映像フレーム、図９（ｂ）の映像フレーム、図９（ｃ）の映像フレームは、早送り再生によって表示されることが予め指定されている。
図に示すように、例えば、図９（ａ）は、「新発売」、「ノート」、「ＰＣ」という文字の表示がはっきり表示される。
また、図９（ｂ）は、「○○搭載！！」、「××付属！！」という文字とノートＰＣの画像が１つの画面に収まった画面が表示され、「○○搭載！！」、「××付属！！」という文字や、ノートＰＣ本体の画像が切れて表示されることを防止している。
【００２０】
また、図９（ｄ）は、ノートＰＣのコマーシャルからドリンクのコマーシャルに切り替わるタイミングの表示画像である。
ここでは、ノートＰＣのコマーシャルの表示画面にはこのノートＰＣに関係する表示である「Ｔ会社」、「Innovation」だけが表示される。上記のような、ノートＰＣに関係する表示と次のコマーシャルであるドリンクに関係する表示が重なって表示されることを防止している。
【００２１】
このように構成することによって、早送り再生においてもコマーシャルで伝えたい内容をきちんと表示することが可能である。
図２は、実施形態に係わる映像出力装置の構成を示すブロック図である。
符号１は映像出力装置（デジタル放送受信装置）である。符号２はアンテナ、符号３はチューナ、符号４は信号処理部、符号５は映像処理部、符号６は音声処理部、符号７は表示装置、符号８は画面、符号９はスピーカである。
【００２２】
符号１０はバス、符号１１は制御部、符号１２はＭＰＵ、符号１３はＲＡＭ、符号１４はＲＯＭ、符号１５はフラッシュメモリ、符号１７はである。例えば、内蔵ＨＤＤ（ハードディスク装置）や内蔵ＳＳＤ（Solid State Disk：  半導体記憶素子であるフラッシュメモリを使用した記憶装置）等で構成される。
【００２３】
符号１８は外部インターフェース、符号１９は外部インターフェース１８を介して外部に接続される外部記憶装置である。この外部記憶装置１８も上記ＨＤＤやＳＳＤ等で構成される。
【００２４】
符号２０は操作受信部、符号２１は操作機器（リモコン）、符号２２は送受信部、符号２５は放送局、符号２６はネットワーク、符号２７はサーバである。
図３は、実施形態に係わる映像出力装置の要部を示すブロック図である。
符号１ａは録画コンテンツ保存部である。映像コンテンツの映像表示部への再生出力に係るフレーム毎に、早送り再生を行う際に再生を行うか否かの情報が関連付けられた映像データである録画コンテンツが保存される。例えば、内部記録装置１７に構成される。
【００２５】
符号２ａは録画データサーチ部である。録画コンテンツ保存部１ａに保存された録画データをサーチし、出力する。符号３ａはデコーダである。デコーダ３ａは録画データサーチ部２ａから出力された録画データを受信し、デコード処理し、デコード処理された映像データ１２ａを出力する。映像データ１２ａはフレーム形式で出力される。
【００２６】
このデコーダ３ａから出力された映像データ１２ａには、図４または図６に示すように、再生出力に係るフレーム毎に、早送り再生を行う際に再生を行うか否かの情報が関連付けられている。
【００２７】
符号４ａは早送り情報抽出部である。また、符号５ａはユーザ操作検知部である。上記のようにユーザに操作されたリモコン２１から早送り再生指示信号が送信され、この早送り再生指示信号がユーザ操作検知部５ａで受信される。
【００２８】
ユーザ操作検知部５ａは、ユーザに指示された早送り再生指示信号を受信し、これに基づく早送り再生情報１４ａを早送り情報抽出部４ａに出力する。
符号６ａは早送り情報解析部、符号７ａは映像・音声処理部である。早送り情報解析部６ａは、早送り情報抽出部４ａから出力されたフレーム早送り情報１６ａを受信し、どのフレームを表示するかを制御する情報である映像表示制御情報１７ａを生成し、映像・音声処理部７ａに出力する。
【００２９】
上記のように、映像データ１２ａには、図４または図６に示すように、再生出力に係るフレーム毎に、早送り再生を行う際に再生を行うか否かの情報が関連付けられている。
【００３０】
そして、映像・音声処理部７ａは映像表示制御情報１７ａを受信し、映像表示制御情報１７ａに基づいて、映像データ１２ａの早送り再生を行う際に再生を行う情報が関連付けられているフレーム、すなわち、再生を行うフレームを受信し、映像・音声処理を行い、映像表示・音声再生部８ａに向けて出力する。
【００３１】
符号８ａは映像表示・音声再生部である。映像・音声処理部７ａから出力された再生を行うフレームを受信し、映像表示・音声再生を行う。
この実施の形態においては、上記録画データサーチ部２ａ、デコーダ３ａ、早送り情報抽出部４ａ、ユーザ操作検知部５ａ、早送り情報解析部６ａは、制御部１１ａに構成される。また、上記映像処理部５、音声処理部６は映像・音声処理部７ａに構成される。また、上記表示装置８、スピーカ９は映像表示・音声再生部８ａに構成される。
【００３２】
図４は、実施形態に係わる映像出力装置が受信する映像データの構成の一例を示す図である。
この実施の形態においては、映像出力装置が受信する映像データは、録画コンテンツ保存部１ａに保存される。録画コンテンツ保存部１ａは、上記のように例えば、内部記録装置１７に構成される。
【００３３】
この映像データは、映像コンテンツの映像表示部への再生出力に係るフレーム毎に、早送り再生を行う際に再生を行うか否かの情報が関連付けられている。
符号４０はフレーム映像データ、符号４１はフレーム早送り情報、符号４１ａは次のフレームへのポインタである。
ここでは、上記映像データをＴＳデータと呼ぶ。ＴＳデータは、例えば、放送波をデコードして得られる。そして、この放送波をデコードして得られるＴＳデータのバイナリテーブルデータには、フレーム早送り情報４１が含まれている。
【００３４】
このフレーム早送り情報４１と映像フレームデータ４０は関連付けられており、例えば、セットになってＴＳデータに格納されている。
ここでは、フレーム早送り情報４１は、例えば「２倍速」や「４倍速」等の早送り速度に応じた、次のフレームへのポインタ４１ａを持つリスト構造となっている。
そして、ここでは一例として、フレーム０から順に２倍速早送り再生を行う場合のポインタ情報を図では点線で示す。また、４倍速早送り再生を行う場合のポインタ情報を実線で示す。
【００３５】
ここでは、上記のように、リモコン２１を操作し、ユーザが指示した早送り再生動作に応じて、ポインタが指し示す順にフレームを表示する。
例えば、ユーザが２倍早送り再生を指示した場合、２倍早送り再生に対応したポインタ情報を参照する。そして、フレーム０から順に２倍速早送り再生を行う。すなわち、フレーム０を再生すると、点線で示すように、フレーム２を再生し、続いてフレーム３を再生し、続いてフレーム５を再生し、続いてフレーム６を再生し、続いてフレーム８を再生する。
【００３６】
また、ユーザが４倍早送り再生を指示した場合、４倍早送り再生に対応したポインタ情報を参照する。そして、フレーム０から順に４倍速早送り再生を行う。すなわち、フレーム０を再生すると、実線で示すように、フレーム２を再生し、続いてフレーム５を再生し、例えば、ポインタ情報が２倍速早送り再生となっていた場合は、フレーム０から順に２倍速早送り再生を行う。
【００３７】
すなわち、フレーム０を再生すると、点線で示すように、フレーム２を再生し、続いてフレーム５を再生する。フレーム５を再生したとき、４倍早送り再生に対応したポインタ情報が見つからないため、後述するポインタがないフレームに対するポインタ情報のサーチを行う。
【００３８】
そして、フレーム６でポインタ情報を発見し、このフレームから４倍早送り再生を再開する。また、ポインタが見つからない場合、代替のポインタ情報（２倍速早送り再生に対応したポインタ情報等）を使用して早送り再生を行ってもよい。
【００３９】
また、ポインタが無いフレーム（例えばフレーム１）で早送り開始が指示された場合、フレーム早送り情報４１を持つフレームまで録画データ１ａをサーチし、実質的に上記ポインタ情報を持つフレームから表示を開始する。
【００４０】
そして、一定時間分データをサーチしても実質的にフレーム早送り情報４１が存在しない場合は、その映像コンテンツは、フレーム早送り情報４１を持たないと判断し、一定の時間間隔毎の映像フレームを表示する早送り再生を行う。
【００４１】
図５は、実施形態に係わる映像出力装置の動作を説明するフローチャートである。
符号１００はここでの開始ステップである。続いて符合１０１を付したステップへ進む。
符号１０１は、録画データサーチ部（２ａ）は、制御部１１の指示で録画コンテンツ（１ａ）のデータをサーチし、録画データ（１１ａ）を読み込み、デコーダ（３ａ）に出力するステップである。続いて符合１０２を付したステップへ進む。
【００４２】
符号１０２は、ユーザ操作検知部（５ａ）は、ユーザ操作情報（１３ａ）を検知し、早送り再生指示を受信した場合は、早送り情報抽出部（４ａ）に検知情報を出力するステップである。続いて符合１０３を付したステップへ進む。
【００４３】
符号１０３は、早送り情報抽出部（４ａ）は、フレーム早送り情報（４１）を抽出するステップである。続いて符合１０４を付したステップへ進む。
符号１０４は、フレーム早送り情報（４１）はあるかを判別するステップである。フレーム早送り情報（４１）はあると判別される場合は符合１０５を付したステップへ進む（Ｙｅｓ）。フレーム早送り情報（４１）はないと判別される場合は符合１０９を付したステップへ進む（Ｎｏ）。
【００４４】
符号１０５は、抽出したフレーム早送り情報（１６ａ）を早送り情報解析部（６ａ）に出力するステップである。続いて符合１０６を付したステップへ進む。
符号１０６は、早送り情報解析部（６ａ）は、フレーム早送り情報（１６ａ）を受信し、どのフレームを表示するかを制御する情報である映像表示制御情報１７ａを生成し、映像、音声出力部（７ａ）に出力するステップである。続いて符合１０７を付したステップへ進む。
【００４５】
符号１０７は、映像、音声出力部（７ａ）は、映像データ（１２ａ）の映像、音声出力処理を行う。また、映像表示制御情報１７ａに基づいて出力するフレーム、音声を決定し、映像、音声データ１８ａを映像表示、音声再生部（８ａ）に出力するステップである。続いて符合１０８を付したステップへ進む。
【００４６】
符号１０８は、映像表示、音声再生部（８ａ）は映像、音声データ１８ａを受信し、映像表示、音声再生を行うステップである。続いて符合１１３を付したステップへ進む。
【００４７】
符号１０９は、録画データサーチ部（２ａ）にサーチ制御情報１５ａを出力し、録画コンテンツから次のフレームを読むように指示するステップである。続いて符合１１０を付したステップへ進む。
【００４８】
符号１１０は、録画コンテンツ保存部１ａに保存されている映像データのサーチ範囲は終了したかを判断するステップである。録画コンテンツ保存部１ａに保存されている映像データのサーチ範囲は終了したと判断される場合は符号１１１を付したステップへ進む（Ｙｅｓ）。録画コンテンツ保存部１ａに保存されている映像データのサーチ範囲は終了しないと判断される場合は符号１１２を付したステップへ進む（Ｎｏ）。
【００４９】
符号１１１は、フレーム早送り情報が無いという情報を付加したフレーム早送り情報１４ａに出力するステップである。続いて符合１０５を付したステップへ進む。
符号１１２は、録画データサーチ部（２ａ）にサーチ制御情報１５ａを出力し、録画コンテンツから次のフレームを読むように指示するステップである。続いて符合１０１を付したステップへ進む。
【００５０】
符号１１３は、終了ステップであり、ここで処理は終了する。
図６は、実施形態に係わる映像出力装置が受信する映像データの構成の他の例を示す図である。
符号５１は早送り再生フラッグである。上記と同様に、この早送り再生フラッグ５１と映像フレームデータ４０は関連付けられており、例えば、セットになってＴＳデータに格納されている。
【００５１】
そして、この実施の形態においては、この早送り再生フラッグ５１が関連付けられた映像フレームデータ４０を再生することによって、早送り再生を実行する。
図６（ａ）は、早送り再生フラッグ５１と映像フレームデータ４０が、予め関連付けられている例である。
図６（ｂ）は、映像フレームデータ４０に関連付けられた早送り再生フラッグ５１が修正され、追加された例である。
図７は、実施形態に係わる映像出力装置において、早送り再生を行う際に再生を行うか否かの情報をユーザが変更する変更画面の一例を示す図である。
ここでは、例えば、映像出力装置（デジタル放送受信装置）１の映像表示部に映像コンテンツの早送り再生が実施され、ユーザが、図に示す「キーワード  ○○」のフレームの周囲で表示される情報を知りたいと考えた場合に、まず、ユーザは「キーワード  ○○」と表示されるフレームを選択する。
【００５２】
続いて、フレームを追加するための、リモコン２１に設けられたフレーム追加ボタンを操作する（図示せず）。
すると、図に示す「このフレームを中心に前後２フレーム（計４フレーム）を追加再生します」という表示が、表示される。
ユーザは、画面を見ながら、「Ｙｅｓ」または「Ｎｏ」を選択する。ここで、「Ｙｅｓ」が選択されると、制御部１１の指示で、図６（ｂ）に示すように、映像フレームデータ４０に関連付けられた早送り再生フラッグ５１が修正され、追加される。
【００５３】
すなわち、この実施の形態においては、映像コンテンツの映像表示部への再生出力に係るフレーム毎に、早送り再生を行う際に再生を行うか否かの情報が関連付けられた映像データを受信するように構成している。
【００５４】
また、映像コンテンツの早送り再生指示を受信するように構成している。
また、早送り再生指示を受信した場合に、早送り再生を行う際に再生を行う情報が関連付けられたフレームを抽出し、出力するように構成している。
なお、上記説明は映像コンテンツの例としてコマーシャル（ＣＭ）を用いたが、この実施の形態はコマーシャルに限られることはなく、番組本編やその他一般的な映像コンテンツの早送り再生に適用することも可能である。
【００５５】
また、フレーム早送り情報は、ツリー、リスト等、任意のデータ構造で構成することも可能である。
また、フレーム早送り情報を利用して、音声データを任意の単位で再生することも可能である。
また、フレーム早送り情報はＴＳデータだけではなく、インターネットを介したサーバ等から取得することも可能である。
上記のように構成することによって、この発明の実施の形態においては、録画された映像コンテンツを早送り再生する際に、映像コンテンツを一定の時間間隔でスキップ再生すると表示がぶれ、見にくくなることを防止することが可能になる。また、早送り再生によって映像コンテンツの内容が充分に伝わらないことを防止することが可能になる。
【００５６】
なお、上記実施形態は、記述そのものに限定されるものではなく、実施段階では、その趣旨を逸脱しない範囲で、構成要素を種々変形して具体化することが可能である。
【符号の説明】
【００５７】
１…映像出力装置（デジタル放送受信装置）、１ａ…録画コンテンツ保存部、２…アンテナ、２ａ…録画データサーチ部、３…チューナ、３ａ…デコーダ、４…信号処理部、４ａ…早送り情報抽出部、５…映像処理部、５ａ…ユーザ操作検知部、６…音声処理部、６ａ…早送り情報解析部、７…表示装置、７ａ…映像・音声処理部、８…画面、８ａ…映像表示・音声再生部、９…スピーカ、１０…バス、１０ａ…録画データ、１１…制御部、１１ａ…録画データ、１２…ＭＰＵ、１２ａ…映像データ、１３…ＲＡＭ、１３ａ…ユーザ操作情報、１４…ＲＯＭ、１４ａ…早送り再生情報、１５…フラッシュメモリ、１５ａ…サーチ制御情報、１６ａ…フレーム早送り情報、１７…内部記録装置、１７ａ…映像表示制御情報、１８…外部インターフェース、１８ａ…映像・音声データ、１９…外部記憶装置、２０…操作受信部、２１…操作機器（リモコン）、２２…送受信部、２５…放送局、２６…ネットワーク、２７…サーバ、４０…フレーム映像データ、４１…フレーム早送り情報、４１ａ…次のフレームへのポインタ、５１…早送り再生フラッグ。
【図１】
2012049736.tif 000003
【図２】
2012049736.tif 000004
【図３】
2012049736.tif 000005
【図４】
2012049736.tif 000006
【図５】
2012049736.tif 000007
【図６】
2012049736.tif 000008
【図７】
2012049736.tif 000009
【図８】
2012049736.tif 000010
【図９】
2012049736.tif 000011
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
映像コンテンツのフレーム毎に、早送り再生を行う際に再生を行うか否かの情報が関連付けられた映像データを受信する映像データ受信手段と、
前記映像コンテンツの早送り再生指示を受信する早送り再生指示受信手段と、
前記早送り再生指示を受信した場合に、前記早送り再生を行う際に再生を行う情報が関連付けられたフレームを抽出し、出力する早送り再生映像出力手段を備える映像出力装置。
【請求項２】
前記早送り再生を行う際に再生を行う情報が関連付けられたフレームを抽出し、前記映像表示装置に出力することにより、前記映像コンテンツの早送り再生が実行される請求項１に記載の映像出力装置。
【請求項３】
前記映像コンテンツの早送り再生を行うフレームの抽出は、前記フレーム毎に関連付けられた早送り再生を行う際に再生を行うか否かの情報に基づいて行われる請求項１に記載の映像出力装置。
【請求項４】
前記映像データの一部のフレームは、前記早送り再生を行う際に再生を行う情報に、そのフレームの次に再生を行うフレームに係る情報を含む請求項１に記載の映像出力装置。
【請求項５】
前記フレーム毎に関連付けられた早送り再生を行う際に再生を行うか否かの情報が変更可能に構成されるフレーム再生情報変更手段をさらに備え、前記フレーム毎に関連付けられた早送り再生を行う際に再生を行うか否かの情報は変更可能に構成される請求項１に記載の映像出力装置。
【請求項６】
前記早送り再生を行う際に再生を行うか否かの情報は、前記映像コンテンツに係る全てのフレームに関連付けられる請求項１に記載の映像出力装置。
【請求項７】
前記早送り再生を行う際に再生を行うか否かの情報が関連付けられた映像データをサーチするサーチ手段をさらに備え、一定時間分サーチしても見つからなかった場合は、一定の時間間隔毎に映像フレームを表示する早送り再生を行う請求項１に記載の映像出力装置。
【請求項８】
映像コンテンツを表示可能な映像表示部と、
映像コンテンツのフレーム毎に、早送り再生を行う際に再生を行うか否かの情報が関連付けられた映像データを受信する映像データ受信手段と、
前記映像コンテンツの早送り再生指示を受信する早送り再生指示受信手段と、
前記早送り再生指示を受信した場合に、前記早送り再生を行う際に再生を行う情報が関連付けられたフレームを抽出し、出力する早送り再生映像出力手段を備える映像表示装置。
【請求項９】
前記早送り再生を行う際に再生を行う情報が関連付けられたフレームを抽出し、前記映像表示装置に出力することにより、前記映像コンテンツの早送り再生が実行される請求項８に記載の映像表示装置。
【請求項１０】
前記映像コンテンツの早送り再生を行うフレームの抽出は、前記フレーム毎に関連付けられた早送り再生を行う際に再生を行うか否かの情報に基づいて行われる請求項８に記載の映像表示装置。
【請求項１１】
前記映像データの一部のフレームは、前記早送り再生を行う際に再生を行う情報に、そのフレームの次に再生を行うフレームに係る情報を含む請求項８に記載の映像表示装置。
【請求項１２】
映像コンテンツのフレーム毎に、早送り再生を行う際に再生を行うか否かの情報が関連付けられた映像データを受信するステップと、
前記映像コンテンツの早送り再生指示を受信するステップと、
前記早送り再生指示を受信した場合に、前記早送り再生を行う際に再生を行う情報が関連付けられたフレームを抽出し、出力するステップを備える映像表示方法。